(57)【要約】【課題】ケーブル先端の端子部を一度フィルムアンテナに固定した後も、任意に着脱可能とする。【解決手段】アンテナ素子パターン12，13及び給電点12ａ，13ａをパターン形成したフィルムアンテナ11と、このフィルムアンテナ11に取付固定され、該給電点12ａ，13ａに対応した開口14ａ，14ｂを有する底部と周壁部とを一体的に形成したホルダ部14と、このホルダ部14に着脱自在に取付けられ、下面より突出した端子部が上記ホルダ部14底部の開口14ａ，14ｂを介して上記給電点12ａ，13ａに当接される、外部通信機器に接続されたケーブル15の先端に取り付けられたピックアップ部16とを備える。【選択図】      図１
2005110200.tif 000002
【特許請求の範囲】
【請求項１】
アンテナ素子及び給電端子部をパターン形成したフィルムアンテナと、
このフィルムアンテナに取付固定され、該フィルムアンテナの給電端子部に対応した開口を有する底部と周壁部とを一体的に形成したホルダ部と、
このホルダ部に着脱自在に取付けられ、下面より突出した端子部が上記ホルダ部底部の開口を介して上記フィルムアンテナの給電端子部に当接される、外部通信機器に接続されたケーブルの先端に取り付けられたピックアップ部と
を具備したことを特徴とするフィルムアンテナ装置。
【請求項２】
アンテナ素子及び給電端子部をパターン形成したフィルムアンテナと、
このフィルムアンテナに取付固定され、該フィルムアンテナの給電端子部に対応した導電部を有する底部と周壁部とを一体的に形成したホルダ部と、
このホルダ部に着脱自在に取付けられ、下面より突出した端子部が上記ホルダ部底部の導電部を介して上記フィルムアンテナの給電端子部と電気的に接続される、外部通信機器に接続されたケーブルの先端に取り付けられたピックアップ部と
を具備したことを特徴とするフィルムアンテナ装置。
【請求項３】
上記ピックアップ部は、上記ケーブルの先端を取付け、下面より上記端子部を突出したケース部と、このケース部に嵌着されてピックアップ部を筐体構造とするカバー部とでなることを特徴とする請求項１または２記載のフィルムアンテナ装置。
【発明の詳細な説明】
【技術分野】
【０００１】
本発明は、自動車用アンテナ等に好適なフィルムアンテナ装置に関する。
【背景技術】
【０００２】
従来より、自動車のウィンドウ内面等に張り付けて設置するフィルムアンテナでは、そのアンテナ素子の給電点位置に、フィーダ線や同軸ケーブルの先端に取付けた端子部を例えば両面テープで貼着して固定することで、該フィーダ線や同軸ケーブルの他端側に連結されているチューナ等の外部通信機器をフィルムアンテナと有線接続している。（例えば、特許文献１）
【特許文献１】特開２０００−１９６３２７号公報
【発明の開示】
【発明が解決しようとする課題】
【０００３】
しかしながら、上記端子部をフィルムアンテナの給電点位置に直接両面テープ等により貼着して固定するため、一旦端子部を固定した後に任意に着脱することはできず、ウィンドウを含む部品の交換や車両のリサイクルに対応することができなかった。
【０００４】
本発明は上記のような実情に鑑みてなされたもので、その目的とするところは、一度端子部をフィルムアンテナに固定した後も、任意に着脱することが可能なフィルムアンテナ装置を提供することにある。
【課題を解決するための手段】
【０００５】
請求項１記載の発明は、アンテナ素子及び給電端子部をパターン形成したフィルムアンテナと、このフィルムアンテナに取付固定され、該フィルムアンテナの給電端子部に対応した開口を有する底部と周壁部とを一体的に形成したホルダ部と、このホルダ部に着脱自在に取付けられ、下面より突出した端子部が上記ホルダ部底部の開口を介して上記フィルムアンテナの給電端子部に当接される、外部通信機器に接続されたケーブルの先端に取り付けられたピックアップ部とを具備したことを特徴とする。
【０００６】
請求項２記載の発明は、アンテナ素子及び給電端子部をパターン形成したフィルムアンテナと、このフィルムアンテナに取付固定され、該フィルムアンテナの給電端子部に対応した導電部を有する底部と周壁部とを一体的に形成したホルダ部と、このホルダ部に着脱自在に取付けられ、下面より突出した端子部が上記ホルダ部底部の導電部を介して上記フィルムアンテナの給電端子部と電気的に接続される、外部通信機器に接続されたケーブルの先端に取り付けられたピックアップ部とを具備したことを特徴とする。
【０００７】
請求項３記載の発明は、上記請求項１または２記載の発明において、上記ピックアップ部は、上記ケーブルの先端を取付け、下面より上記端子部を突出したケース部と、このケース部に嵌着されてピックアップ部を筐体構造とするカバー部とでなることを特徴とする。
【発明の効果】
【０００８】
請求項１記載の発明によれば、ホルダ部をフィルムアンテナの給電端子部に取付固定する際にはホルダ部底部の開口を該給電端子部の位置に合わせて視認しながら取付けることができるので、きわめて容易且つ正確に位置決めできる一方で、ピックアップ部をフィルムアンテナに固定したホルダ部に対して着脱自在としたため、ウィンドウを含む部品の交換や車両のリサイクル時に任意にピックアップ部をフィルムアンテナから取り外し、その後に再装着することができる。
【０００９】
加えて、ホルダ部底部の開口数や寸法などを規格化することでホルダ部を汎用化し、複数の種類のフィルムアンテナでホルダ部を共通して使用することができる。
【００１０】
請求項２記載の発明によれば、ホルダ部をフィルムアンテナの給電端子部に取付固定する際にはホルダ部底部の導電部を該給電端子部の位置に合わせて取付けることができるので、容易且つ正確に位置決めできる一方で、ピックアップ部をフィルムアンテナに固定したホルダ部に対して着脱自在としたため、ウィンドウを含む部品の交換や車両のリサイクル時に任意にピックアップ部をフィルムアンテナから取り外し、その後に再装着することができる。
【００１１】
加えて、ホルダ部底部の導電部の数や寸法などを規格化することでホルダ部を汎用化し、複数の種類のフィルムアンテナでホルダ部を共通して使用することができる。
【００１２】
さらに、フィルムアンテナの給電端子部を導電部で被覆した状態でホルダ部が取付けられるため、ピックアップ部を取り外した状態でもフィルムアンテナの給電端子部が露出することなく、当該給電端子部に異物が付着し、あるいは腐食が生じるようなことを防止できる。
【００１３】
請求項３記載の発明によれば、上記請求項１または２記載の発明の効果に加えて、ケース部とこのケース部に嵌着されるカバー部とでなるピックアップ部をボックス構造とすることで、組立工程を簡易化しながら、ピックアップ部内に必要に応じてバランやローノイズアンプなどの回路部品を組込むことができる。
【発明を実施するための最良の形態】
【００１４】
（第１の実施の形態）  
以下本発明を自動車ウィンドウ用のフィルムアンテナ装置に適用した場合の第１の実施の形態について図面を参照して説明する。
【００１５】
図１は、その組立構成を示すもので、１１が透明の樹脂製フィルムでなるフィルムアンテナである。このフィルムアンテナ１１上には、アンテナ素子パターン１２，１３がプリント形成され、これらパターン１２，１３の各給電点１２ａ，１３ａが近接配置されている。
【００１６】
これら給電点１２ａ，１３ａの大きさ及び間隔に合わせた開口１４ａ，１４ｂを底部に形成したホルダ部１４を、該開口１４ａ，１４ｂがちょうど給電点１２ａ，１３ａに位置する如く、ここでは図示しない両面テープにより貼着する。  
ここで、図示しない両面テープもホルダ部１４の底部に合わせた大きさで、且つ開口１４ａ，１４ｂと同様の開口を有するものとする。
【００１７】
ホルダ部１４は、該テープと周壁部が一体的に形成した、例えばＡＢＳ樹脂製の有底筒状部材でなり、図示する如く該周壁部には後述する同軸ケーブル用の切れ込み１４ｃと、一対の貫通孔でなる係止部１４ｄ，１４ｄとが設けられる。
【００１８】
このホルダ部１４に対し、ピックアップ部１６が着脱自在に取り付けられる。このピックアップ部１６は、他端が図示しないチューナに接続された同軸ケーブル１５の先端に取り付けられており、ホルダ部１４内にこのピックアップ部１６を装着した場合に上記係止部１４ｄ，１４ｄにより係止され、上記切れ込み１４ｃ部分に同軸ケーブル１５が挟持される。
【００１９】
ここで切れ込み１４ｃの最も狭い部分の幅は、同軸ケーブル１５の直径より若干小さめに設定され、ピックアップ部１６の装着時に同軸ケーブル１５を切れ込み１４ｃに圧入することにより、同軸ケーブル１５自体の有する弾性で固定される。
【００２０】
図２は、ピックアップ部１６の外観構成を示すもので、図２（Ａ）は上面図、図２（Ｂ）は側面図、図２（Ｃ）は同軸ケーブル１５を接続した側の背面図、図２（Ｄ）は下面図である。
【００２１】
ピックアップ部１６は、同軸ケーブル１５を取付け、下面よりその長軸方向に沿って一対の接触子１７ａ，１７ｂを突出させたケース部１８と、このケース部１８上に嵌着されたカバー部１９とで構成される。
【００２２】
ケース部１８は、その側面から上方に向けて一対の係止部１８ａ，１８ａを延在しており、この係止部１８ａ，１８ａの外面側に形成された凹凸が上記ホルダ部１４の係止部１４ｄ，１４ｄと嵌合することによりピックアップ部１６がホルダ部１４内に係止されて装着される。
【００２３】
しかして係止部１８ａ，１８ａの上端をユーザが手指でつまんで強く挟み込むと同時に上方に引き抜くと、係止部１８ａ，１８ａが一時的に変形して係止部１４ｄ，１４ｄとの係止状態が解除され、ピックアップ部１６をホルダ部１４から抜き出すことができる。
【００２４】
カバー部１９は、ケース部１８に対して嵌着することでボックス構造のピックアップ部１６を構成するもので、このケース部１８とカバー部１９との嵌着は、ケース部１８の内面よりその長軸方向に沿って突出形成される２対の係止部１８ｂ，１８ｂ，‥‥が、カバー部１９の側面に形成された細長い開口部１９ａ，１９ａ，‥‥に係止されることでなされる。
【００２５】
続いて図３により特にピックアップ部１６内の構成とフィルムアンテナ１１への取付け状態について説明する。  
ここで、図３（Ａ）はピックアップ部１６からカバー部１９を取り外したケース部１８内の構成を示す上面図、図３（Ｂ）はピックアップ部１６の長軸方向に沿った縦断面図、、図３（Ｃ）は上記図３（Ｂ）のＩ−Ｉ線に沿った短軸方向の縦断面図、図３（Ｄ）は図３（Ｂ）のII−II線に沿った短軸方向の縦断面図である。
【００２６】
ケース部１８内には基板２０が組込まれ、この基板２０の上面端部に上記同軸ケーブル１５の外部導体及び中心導体がそれぞれ例えば半田付けにて接続固定される。また、基板２０は、その上面に例えばバランやＬＮＡ等の電子部品２１が配設される一方で、下面側に上記接触子１７ａ，１７ｂがそれぞれ突出して配設される。
【００２７】
これら接触子１７ａ，１７ｂは、ケース部１８の底部に形成された開口１８ｃ，１８ｄ及びホルダ部１４底部の開口１４ａ，１４ｂ、及び両面テープ２２の開口を介してフィルムアンテナ１１のここでは図示しない上記アンテナ素子パターン１２，１３の各給電点１２ａ，１３ａに当接される。
【００２８】
ここで接触子１７ａ，１７ｂは、給電点１２ａ，１３ａとの当接により常に一定の圧力をもって接触し、電気的に安定した接続状態を保つように、例えば図示する如くその断面が順次屈曲され、基板２０と給電点１２ａ，１３ａとの間の支持部分が斜めとなるように形成されて、その弾性を活かす構造とされる。
【００２９】
図３（Ｃ）に示すように、ピックアップ部１６の長軸方向のほぼ中央、ケース部１８に係止部１８ａ，１８ａが一体形成されている部分では、該係止部１８ａ，１８ａをホルダ部１４の係止部１４ｄ，１４ｄの貫通孔内に係止することにより、ピックアップ部１６全体がホルダ部１４内に固定されて格納されていることがわかる。
【００３０】
一方、図３（Ｄ）に示すように、ピックアップ部１６の長軸方向の中央を外れた位置では、ピックアップ部１６を構成するケース部１８の係止部１８ｂ，１８ｂ，‥‥がカバー部１９の開口部１９ａ，１９ａ，‥‥に係止されることによりカバー部１９がケース部１８に対して嵌着され、ピックアップ部１６をボックス構造としていることがわかる。
【００３１】
上記のような構成とすれば、ホルダ部１４をフィルムアンテナ１１のアンテナ素子パターン１２，１３の給電点１２ａ，１３ａに合わせて取付固定する際には、両面テープ２２を予め貼付しているホルダ部１４底部の開口１４ａ，１４ｂを該給電点１２ａ，１３ａの位置に合わせて上側から視認しながら取付けることができるので、きわめて容易且つ正確に位置決めして貼着させることができる。
【００３２】
また、フィルムアンテナ１１に固定したホルダ部１４に対して、ピックアップ部１６を着脱自在としたため、このフィルムアンテナ１１を取り付けている車両のウィンドウを含む部品を交換する場合や、車両のリサイクルを行なう場合などで、任意にピックアップ部１６をフィルムアンテナ１１から取り外し、その後に気軽に再装着することができる。
【００３３】
加えて、ホルダ部１４の底部の開口数や内側の寸法などを規格にすることで、このホルダ部１４に対して取り付けるピックアップ部１６の端子数や内部の電子回路の有無の違いなど、多種類のピックアップ部１６に対応させることができ、ホルダ部１４を汎用化して、複数の種類のフィルムアンテナでホルダ部１４を共通して使用することができる。
【００３４】
さらに、ピックアップ部１６をケース部１８とこのケース部１８に嵌着されるカバー部１９とでなるボックス構造としたことにより、ネジ止め等の手間を省き、組立工程を大幅に簡易化しながら、ピックアップ部１６内に必要に応じてバランやローノイズアンプなどの電子回路部品を自由に組込むことができる。
【００３５】
なお、上記実施の形態では、ホルダ部１４をフィルムアンテナ１１に対して両面テープ２２により貼着して固定するものとして説明したが、本発明はこれに限らず、接着剤やその他の技術を用いて固定するものとしてもよい。
【００３６】
また、上記ホルダ部１４の底部の開口の形状を工夫することにより、フィルムアンテナからホルダ部１４を引き剥がさなければならない場合でも、例えばマイナス・ドライバの先端を該開口に差し入れ、同ドライバのシャフトをホルダ部１４の周壁部上に固定してここを支点とし、テコの原理により引き剥がすものとすれば、比較的フィルムアンテナのパターン等を傷つけずに作業を実施することができる。
【００３７】
（第２の実施の形態）  
以下本発明をフィルムアンテナ装置の端子構造に適用した場合の第２の実施の形態について図面を参照して説明する。
【００３８】
図４は、フィルムアンテナに貼着されるホルダ部３１の組立構成を示すものである。  
図４（Ａ）に示す如くホルダ部３１は、周壁部３１ａ〜３１ｄと底部３１ｅが一体形成された、例えばＡＢＳ樹脂製の有底筒状部材でなる。同図（Ａ）中の左下に位置する短辺側の周壁部３１ｄは、その中央に後述する同軸ケーブル３６の径に対応した幅を有する切欠き３１ｆの下部、底部３１ｅ側両端に一対の矩形貫通孔による嵌合部３１ｇ，３１ｇが形成される。
【００３９】
また、底部３１ｅには、上記周壁部３１ｄと対向する反対側の周壁部３１ａの近傍に、後述するピックアップ部３５を係止固定するための係止部３１ｈが突出形成される他、それぞれコ字状に配置された２組の長矩形貫通孔３１ｉ，３１ｊ，３１ｊと３１ｋ，３１ｌ，３１ｌが形成される。
【００４０】
なお、長辺側の周壁部３１ｂ，３１ｃの互いに対応する位置には、半円状の切欠き３１ｍ，３１ｎが形成される。
【００４１】
しかして、図４（Ｂ）に示すように断面がＬ字形となる導電部材としてのコンタクタ３２の一片３２１はその両側辺が９０°折曲した爪部３２ａ，３２ａを有し、他片３２２を上記貫通孔３１ｉに挿通すると、これら一対の爪部３２ａ，３２ａが上記貫通孔３１ｊ，３１ｊを咬持してホルダ部３１から外れなくなる。
【００４２】
また、このコンタクタ３２の屈曲部の外面側には上記貫通孔３１ｉの幅に合わせた一対の突起３２ｂ，３２ｂが折曲形成され、上記他片３２２を貫通孔３１ｉに最終位置まで挿通した際に貫通孔３１ｉ内でがたつきを生じないものとしている。
【００４３】
このコンタクタ３２は、上述した如く導電部材として用いられるもので、例えばリン青銅のようなバネ材を用いて構成することで、その弾性により上記爪部３２ａ，３２ａが貫通孔３１ｊ，３１ｊを咬持するものである。
【００４４】
同様に、断面がＬ字形となる導電部材としてのコンタクタ３３の一片３３１はその両側辺が９０°折曲した爪部３３ａ，３３ａを有し、他片３３２を上記貫通孔３１ｋに挿通すると、これら一対の爪部３３ａ，３３ａが上記貫通孔３１ｌ，３１ｌを咬持してホルダ部３１から外れなくなる。
【００４５】
このコンタクタ３３の屈曲部の外面側には上記貫通孔３１ｋの幅に合わせた一対の突起３３ｂ，３３ｂが折曲形成され、上記他片３３２を貫通孔３１ｋに最終位置まで挿通した際に貫通孔３１ｋ内でがたつきを生じないものとしている。
【００４６】
このコンタクタ３３は上述した如く導電部材として用いられ、例えばリン青銅のようなバネ材を用いて構成することで、その弾性により上記爪部３３ａ，３３ａが貫通孔３１ｌ，３１ｌを咬持する。
【００４７】
以上のようにホルダ部３１に断面がＬ字形となるコンタクタ３２，３３を取り付けた状態で、図４（Ｃ）に示すように上記貫通孔３１ｊ，３１ｋと同様の貫通孔を形成した両面テープ３４の一面側を底部３１ｅの下側より当接して貼着する。
【００４８】
さらにここでは図示しないが、両面テープ３４の他面側（下側）の剥離紙を一旦剥離した状態で、該貫通孔を貫通した上記コンタクタ３２，３３の各他片３２２，３３２を折曲して両面テープ３４下面に接着することにより、コンタクタ３２，３３はいずれも断面がＵ字形となる。
【００４９】
なお、両面テープ３４としてはある程度の厚さとクッション性、及び強い接着性を有するものを選定することで、コンタクタ３２，３３の弾性により両面テープ３４から剥離しようとする力を抑え、且つフィルムアンテナの各端子部に貼着する際にコンタクタ３２，３３と各端子部との電気的な接続を維持する。
【００５０】
続いて図５により上記ホルダ部３１に着脱自在に取り付けられるピックアップ部３５の構成について説明する。  
図５（Ａ）に示すようにピックアップ部３５もまた、周壁部３５ａ〜３５ｄと（上）底部３５ｅが一体形成された、例えばＡＢＳ樹脂製の有底筒状部材でなる。同図（Ａ）中の左下に位置する短辺側の周壁部３５ｄは、その中央に後述する同軸ケーブル３６の径に対応した幅を有する逆Ｕ字形の切欠き３５ｆが形成されると共に、この切欠き３５ｆを挟んでその左右に上記ホルダ部３１の嵌合部３１ｇ，３１ｇに対応した一対の矩形脚部３５ｇ，３５ｇが突出形成される。
【００５１】
周壁部３５ｄと対向する反対側の周壁部３５ａはホルダ部３１の係止部３１ｈに対応した係止形状を有するものとし、周壁部３５ｂ，３５ｃの底部３５ｅと接する端部には上記ホルダ部３１の切欠き３１ｍ，３１ｎに対応した半円柱状のつまみ部３５ｈ，３５ｉが突出形成される。
【００５２】
さらに、周壁部３５ｂ，３５ｃには各２箇所、計４箇所に後述する端子金具係止用の矩形貫通孔３５ｊ，３５ｊ，‥‥が形成される。
【００５３】
一方、このピックアップ部３５に対して、その開口側から同軸ケーブル３６の先端に端子金具３７，３８を接続したものを取り付ける。
【００５４】
ここで端子金具３７は、同軸ケーブル３６の中心導体に対して例えば半田付けにより固着、接続されるもので、断面コ字状の金具本体３７ａと延在された端子部３７ｂとを一体にして上記コンタクタ３２，３３と同様にリン青銅のようなバネ性を有する金属片より構成される。
【００５５】
図５（Ｂ）にも示す如く断面コ字状の金具本体３７ａの一対の脚部の各中央にはそれぞれ外側に押し広げられたロッキング爪３７ｃ，３７ｃが折曲形成され、この端子金具３７をピックアップ部３５の対応する位置に押し入れることにより、上記一対の貫通孔３５ｊ，３５ｊに至った時点で係止して保持されるものとなる。
【００５６】
同様に、端子金具３８は、同軸ケーブル３６の剥き返した外部導体に対して例えば半田付けにより固着、接続されるもので、断面コ字状の金具本体３８ａと延在され、且つ折り返された端子部３８ｂとを一体にしてリン青銅のようなバネ性を有する金属片より構成される。
【００５７】
断面コ字状の金具本体３８ａの一対の脚部の各中央にはそれぞれ外側に押し広げられたロッキング爪３８ｃ，３８ｃが折曲形成され、この端子金具３８をピックアップ部３５の対応する位置に押し入れることにより、これも上記一対の貫通孔３５ｊ，３５ｊに至った時点で係止して保持されるものとなる。
【００５８】
上述した如く端子金具３７は同軸ケーブル３６の中心導体と、端子金具３８は同軸ケーブル３６の外部導体とそれぞれ半田付け等により接続されており、両金具３７，３８は電気的に絶縁された状態にある。
【００５９】
図５（Ｃ）は、上記ピックアップ部３５に端子金具３７，３８を接続した同軸ケーブル３６を取り付けた状態を略斜め上方から見た場合の外観構成であり、ここでは図示しないがその下面側からは上記端子金具３７，３８の各端子部３７ｂ，３８ｂがそれぞれ若干突出した状態となる。
【００６０】
図６により、ピックアップ部３５をホルダ部３１に装着する場合の手順について説明する。
【００６１】
図６（Ａ）に示すように、端子金具３７，３８を接続した同軸ケーブル３６を取り付けたピックアップ部３５を、ホルダ部３１に装着するにあたっては、まず先にピックアップ部３５の脚部３５ｇ，３５ｇを図中の一点鎖線III，IIIに示すようにホルダ部３１の嵌合部３１ｇ，３１ｇに差し入れて嵌合させる。
【００６２】
そして、ここを支点として図中の一点鎖線IV，IVに示すように回動する如くピックアップ部３５の先端側に位置する周壁部３５ａをホルダ部３１の周壁部３１ａの内側に突出形成されている係止部３１ｈに係止させることで装着が完了する。
【００６３】
このとき、図６（Ｂ）に示す如くピックアップ部３５の下面側では上述したようにバネ性を有する各端子金具３７，３８の各端子部３７ｂ，３８ｂがピックアップ部３５全体の下端面よりは若干突出するように形成されているので、ピックアップ部３５をホルダ部３１に装着するにあたっては、該端子部３７ｂ，３８ｂがホルダ部３１の底部３１ｅに取り付けたコンタクタ３２，３３の各一片３２１，３３１とそれぞれその弾性に応じた押圧力をもった状態で接続されたまま保持されることとなる。
【００６４】
したがって、このピックアップ部３５を装着したホルダ部３１の下面側に接着された両面テープ３４を図示しないフィルムアンテナの給電端子部に貼着することで、ピックアップ部３５の端子金具３７，３８とホルダ部３１のコンタクタ３２，３３を介して同軸ケーブル３６の中心導体及び外部導体と図示しないフィルムアンテナの各給電端子部が電気的に安定した状態で接続されることとなる。
【００６５】
なお、ピックアップ部３５のつまみ部３５ｈ，３５ｉと、ホルダ部３１の切欠き３１ｍ，３１ｎはその形状と位置とが予め対応するように形成されるものであり、ホルダ部３１に対するピックアップ部３５の取付け方向等を間違えることがないように、あえてそれらの長手方向上の中心位置から外れた位置にオフセットされて形成される。
【００６６】
また、このようにホルダ部３１にピックアップ部３５を装着した状態から、ピックアップ部３５を取り外す場合には、ホルダ部３１の係止部３１ｈの先端を、マイナスドライバ等の先端で外側方向に押し広げながら、一方で一対のつまみ部３５ｈ，３５ｉをもって引き起こすように持ち上げることで、係止部３１ｈによる係止が解除され、上記ピックアップ部３５の脚部３５ｇ，３５ｇとホルダ部３１の嵌合部３１ｇ，３１ｇを支点として回動するようにピックアップ部３５を取り外すことができる。
【００６７】
上記のような構成とすれば、ホルダ部３１をここでは図示しないフィルムアンテナの給電端子部に合わせて取付固定する際には、両面テープ３４を予め貼付しているホルダ部３１底部のコンタクタ３２，３３の他片３２２，３３２をそれら給電端子部の位置に合わせて取付ければよいので、容易且つ正確に位置決めして貼着させることができる。
【００６８】
また、フィルムアンテナに貼着して固定したホルダ部３１に対して、ピックアップ部３５を着脱自在としたため、このフィルムアンテナを取り付けている車両のウィンドウを含む部品を交換する場合や、車両のリサイクルを行なう場合などで、任意にピックアップ部３５をフィルムアンテナから取り外し、その後に気軽に再装着することができる。
【００６９】
加えて、ホルダ部３１の底部の各コンタクタの他片の数や内側の寸法などを規格にすることで、このホルダ部３１に対して取り付けるピックアップ部３５の端子数や内部の電子回路の有無の違いなど、多種類のピックアップ部３５に対応させることができ、ホルダ部３１を汎用化して、複数の種類のフィルムアンテナでホルダ部３１を共通して使用することができる。
【００７０】
さらに、フィルムアンテナの給電端子部をコンタクタ３２，３３の他片３２２，３３２と両面テープ３４で被覆した状態でホルダ部３１が取付けられるため、ピックアップ部３５を取り外した状態でもフィルムアンテナの給電端子部が外気に対して露出することなく、当該給電端子部に異物が付着したり、あるいは腐食が生じるようなことを防止できる。
【００７１】
特に、ワンフィルムアンテナの組立工程を自動車の製造ラインに組込んで実施するような場合には、ホルダ部３１をできるだけ早い工程でフィルムアンテナの給電端子部に取り付けてしまうことで、雰囲気中の塵埃等により給電端子部に異物が付着してしまうのを確実に防止し、接触不良等の発生を排除する点で有効となる。
【００７２】
なお、この第２の実施の形態では、ピックアップ部３５をあえて上記第１の実施の形態のように、ケース部とこのケース部に嵌着されるカバー部とでなる筐体構造とはせず、より簡易で端子構造も簡略した構造となるようにしたが、あえて筐体構造とすることにより、バランやＬＮＡ（ローノイズアンプ）等の電子回路を基板と一体に組込んだ構造とすることも同様に可能である。
【００７３】
また、上記第１及び第２の実施の形態は、いずれも同軸ケーブルを用いるものとして説明したが、本発明はこれに限ることなく、フィルムアンテナと外部通信機機とを接続するケーブルとしては、単線のケーブルや、並列配置された複数の中心導体を有する同軸ケーブル、あるいは単線のケーブルを複数束ねたものや並列配置したもの等にも同様に対応できることは勿論であり、それらの導体の数や位置に対応したホルダ部のコンタクタとピックアップ部の端子金具の構造を対応させることも容易である。
【００７４】
その他、本発明は上記実施の形態に限らず、その要旨を逸脱しない範囲内で種々変形して実施することが可能であるものとする。
【００７５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７６】
【図１】本発明の第１の実施の形態に係るフィルムアンテナ装置の組立構成を示す斜視図。
【図２】同実施の形態に係るピックアップ部の外観構成を示す図。
【図３】同実施の形態に係る主として断面構造を示す図。
【図４】本発明の第２の実施の形態に係るフィルムアンテナ装置の端子構造の特にホルダ部の構成を示す斜視図。
【図５】同実施の形態に係るピックアップ部の構成を示す斜視図。
【図６】同実施の形態に係るホルダ部３１とピックアップ部３５との接続構成を示す斜視図。
【符号の説明】
【００７７】
１１…フィルムアンテナ、１２，１３…アンテナ素子パターン、１２ａ，１３ａ…給電点、１４…ホルダ部、１４ａ，１４ｂ…開口、１４ｃ…切れ込み、１４ｄ…（ケース部との）係止部、１５…同軸ケーブル、１６…ピックアップ部、１７ａ，１７ｂ…接触子、１８…ケース部、１８ａ…（ホルダ部との）係止部、１８ｂ…（カバー部との）係止部、１９…カバー部、１９ａ…開口部、２０…基板、２１…電子部品、２２…両面テープ、３１…ホルダ部、３１ａ〜３１ｄ…周壁部、３１ｅ…底部、３１ｆ…係止部、３１ｇ…嵌合部、３１ｈ…係止部、３１ｉ〜３１ｌ…貫通孔、３１ｍ，３１ｎ…切欠き、３２，３３…コンタクタ、３４…両面テープ、３５…ピックアップ部、３６…同軸ケーブル、３７，３８…端子金具。
【図１】
2005110200.tif 000003
【図２】
2005110200.tif 000004
【図３】
2005110200.tif 000005
【図４】
2005110200.tif 000006
【図５】
2005110200.tif 000007
【図６】
2005110200.tif 000008